(57)【特許請求の範囲】
【請求項１】
表示装置の表示特性情報を入力する入出力部と、
前記表示装置の設置場所の観察環境を測定し、観察環境情報を生成する観察環境情報生成部と、
撮像部から出力された画像データを記憶する画像データ記憶部と、
前記表示特性情報と前記観察環境情報とに基づいて、前記画像データを画像処理して、処理済み画像データを生成する画像処理部と、
前記表示装置と通信を行う通信部とを備え、
前記入出力部は、前記通信部を介して前記処理済み画像データを前記表示装置へ出力し、
前記観察環境情報生成部は、前記表示装置との通信が行われている際に、前記観察環境の測定と前記観察環境情報の生成とを行う
ことを特徴とするカメラ。
【請求項２】
記憶媒体を挿入する記憶媒体挿入部を備え、
前記入出力部は、前記記憶媒体挿入部に挿入された前記記憶媒体に記憶されている前記表示特性情報を入力することを特徴とする請求項１に記載のカメラ。
【請求項３】
記憶媒体を挿入する記憶媒体挿入部を備え、
前記画像データ記憶部は、前記記憶媒体挿入部に挿入された前記記憶媒体であることを特徴とする請求項１に記載のカメラ。
【請求項４】
前記表示特性情報を記憶する特性情報記憶部を備え、
前記入出力部から入力した前記表示特性情報を前記特性情報記憶部に記録することを特徴とする請求項１〜３の何れか一項に記載のカメラ。
【請求項５】
前記処理済み画像データを前記画像データ記憶部に記憶し、前記画像データ記憶部に記憶された前記処理済み画像データを前記表示装置へ出力することを特徴とする請求項１〜４の何れか一項に記載のカメラ。
【請求項６】
前記観察環境情報生成部は、前記撮像部の出力信号から前記観察環境情報を生成することを特徴とする請求項１〜５の何れか一項に記載のカメラ。
【請求項７】
前記観察環境情報生成部は、カラーセンサ及び測光センサの少なくとも一方の測定値から前記観察環境情報を生成することを特徴とする請求項１〜６の何れか一項に記載のカメラ。
【請求項８】
表示装置と通信を行う通信部と、
前記表示装置との通信が確立している際に前記表示装置の設置場所の観察環境を測定し、測定された前記観察環境に基づいて観察環境情報を生成する観察環境情報生成部と、
前記観察環境情報に基づいて、撮像部から出力された画像データを画像処理して、処理済み画像データを生成する画像処理部と、
前記通信部を介して前記処理済み画像データを前記表示装置へ出力する出力部とを備えることを特徴とするカメラ。
【請求項９】
外部機器と通信を行う通信部と、
カラーセンサ及び照度センサの少なくとも一方と、
前記通信部を介して前記外部機器と通信が行われている際に、前記カラーセンサ及び前記照度センサの少なくとも一方の測定値から設置場所の観察環境情報を生成し、前記通信部を介して前記外部機器へ出力する観察環境情報出力部と、
前記観察環境情報に基づいて画像処理された処理済み画像データを前記通信部を介して入力する画像データ入力部と、
前記処理済み画像データを表示部に表示させる表示制御部と
を備えることを特徴とする表示装置。
【請求項１０】
前記外部機器の画像データ記憶部から、前記観察環境情報に基づいて画像処理された処理済み画像データを検索する検索部を備え、
前記画像データ入力部は、前記検索部で検索された前記処理済み画像データを入力することを特徴とする請求項９に記載の表示装置。
【請求項１１】
表示特性情報を前記通信部を介して前記外部機器へ出力する特性情報出力部と、
前記外部機器の画像データ記憶部から、前記表示特性情報に基づいて画像処理された処理済み画像データを検索する検索部とを備え、
前記画像データ入力部は、前記検索部で検索された前記処理済み画像データを入力することを特徴とする請求項９に記載の表示装置。
【請求項１２】
カメラと表示装置とを備え、
前記カメラは、
前記表示装置の設置場所の観察環境情報を入力する入出力部と、
前記観察環境情報を記憶する観察環境情報記憶部と、
前記観察環境情報記憶部に記憶されている前記観察環境情報に基づいて、撮像部から出力された画像データを画像処理して、処理済み画像データを生成する画像処理部と、
前記画像データと前記処理済み画像データとを記憶する画像データ記憶部とを備え、
前記表示装置は、
前記表示装置の記憶媒体挿入部に記憶媒体が挿入されたとき、または前記表示装置と前記カメラとが通信接続したときに測定を行う、カラーセンサ及び照度センサの少なくとも一方と、
前記カラーセンサ及び前記照度センサの少なくとも一方の測定値から生成される前記観察環境情報を出力する観察環境情報出力部と、
前記カメラの前記画像データ記憶部から前記処理済み画像データを検索する検索部と、
前記検索部で検索された前記処理済み画像データを入力する画像データ入力部と、
前記処理済み画像データを表示部に表示させる表示制御部と
を備えることを特徴とする画像表示システム。
【請求項１３】
複数の前記表示装置を備え、
前記各表示装置は、自身の識別情報を記憶し、前記カメラに対して前記観察環境情報と共に前記自身の識別情報を送信し、
前記カメラは、前記観察環境情報記憶部に前記各表示装置の識別情報を記憶し、
前記画像処理部は、前記識別情報ごとに前記観察環境情報に基づいて前記画像データを画像処理して、前記処理済画像データを生成することを特徴とする請求項１２に記載の画像表示システム。
【発明の詳細な説明】
【技術分野】
【０００１】
本発明は、カメラ、表示装置及び画像表示システムに関するものである。
【背景技術】
【０００２】
多数の写真のデータを簡単かつ効率的に管理することができるデジタルフォトフレームなどの表示装置が存在する（例えば、特許文献１参照）。
【先行技術文献】
【特許文献】
【０００３】
【特許文献１】特開２００３−１６９７３４号公報
【発明の概要】
【発明が解決しようとする課題】
【０００４】
このようなデジタルフォトフレームにおいて、スライドショー表示する際に、滑らかな動きで画像を表示するために、外部のサーバーで画像処理を行う方法があるが（特許文献1）、デジタルカメラで撮像した画像については、画像処理を行うためにデジタルカメラから外部のサーバーに撮像した画像を送信する必要がある。
【０００５】
本発明の目的は、カメラで撮像した画像をデジタルフォトフレームなどの表示装置でスライドショー表示する際に、画像処理を行うためにカメラから外部のサーバーへ撮像した画像を送信する必要がないようにすることである。
【課題を解決するための手段】
【０００６】
本発明のカメラは、表示装置の表示特性情報を入力する入出力部と、前記表示装置の設置場所の観察環境を測定し、観察環境情報を生成する観察環境情報生成部と、撮像部から出力された画像データを記憶する画像データ記憶部と、前記表示特性情報と前記観察環境情報とに基づいて、前記画像データを画像処理して、処理済み画像データを生成する画像処理部と、前記表示装置と通信を行う通信部とを備え、前記入出力部は、前記通信部を介して前記処理済み画像データを前記表示装置へ出力し、前記観察環境情報生成部は、前記表示装置との通信が行われている際に、前記観察環境の測定と前記観察環境情報の生成とを行うことを特徴とする。
【０００７】
また、本発明のカメラは、表示装置と通信を行う通信部と、前記表示装置との通信が確立している際に前記表示装置の設置場所の観察環境を測定し、測定された前記観察環境に基づいて観察環境情報を生成する観察環境情報生成部と、前記観察環境情報に基づいて、撮像部から出力された画像データを画像処理して、処理済み画像データを生成する画像処理部と、前記通信部を介して前記処理済み画像データを前記表示装置へ出力する出力部とを備えることを特徴とする。
【０００８】
また、本発明の表示装置は、外部機器と通信を行う通信部と、カラーセンサ及び照度センサの少なくとも一方と、前記通信部を介して前記外部機器と通信が行われている際に、前記カラーセンサ及び前記照度センサの少なくとも一方の測定値から設置場所の観察環境情報を生成し、前記通信部を介して前記外部機器へ出力する観察環境情報出力部と、前記観察環境情報に基づいて画像処理された処理済み画像データを前記通信部を介して入力する画像データ入力部と、前記処理済み画像データを表示部に表示させる表示制御部とを備えることを特徴とする。
【００１２】
また、本発明の画像表示システムは、カメラと表示装置とを備え、前記カメラは、前記表示装置の設置場所の観察環境情報を入力する入出力部と、前記観察環境を記憶する観察環境情報記憶部と、前記観察環境情報記憶部に記憶されている前記観察環境情報に基づいて、撮像部から出力された画像データを画像処理して、処理済み画像データを生成する画像処理部と、前記画像データと前記処理済み画像データとを記憶する画像データ記憶部とを備え、前記表示装置は、前記表示装置の記憶媒体挿入部に記憶媒体が挿入されたとき、または前記表示装置と前記カメラとが通信接続したときに測定を行う、カラーセンサ及び照度センサの少なくとも一方と、前記カラーセンサ及び前記照度センサの少なくとも一方の測定値から生成される前記観察環境情報を出力する観察環境情報出力部と、前記カメラの前記画像データ記憶部から前記処理済み画像データを検索する検索部と、前記検索部で検索された前記処理済み画像データを入力する画像データ入力部と、前記処理済み画像データを表示部に表示させる表示制御部とを備えることを特徴とする。
【発明の効果】
【００１３】
本発明によれば、カメラで撮像した画像を表示装置でスライドショー表示する際に、画像処理を行うためにカメラから外部のサーバーへ撮像した画像を送信する必要がない。
【図面の簡単な説明】
【００１４】
【図１】本発明の実施の形態に係る画像表示システムを示す図である。
【図２】本発明の実施の形態に係るデジタルフォトフレームのシステム構成を示すブロック図である。
【図３】本発明の実施の形態に係るカメラのシステム構成を示すブロック図である。
【図４】本発明の実施の形態に係るデジタルフォトフレームの表示処理を示すフローチャートである。
【図５】本発明の実施の形態に係るカメラの変換処理を示すフローチャートである。
【図６】本発明の実施の形態に係る画像表示システムの送受信処理を示すフローチャートである。
【発明を実施するための形態】
【００１５】
以下、図面を参照して、本発明の実施の形態に係る画像表示システムを構成する表示装置であるデジタルフォトフレーム（以下、ＤＰＦという。）及びカメラについて説明する。図１は、本発明の実施の形態に係る画像表示システムを示す図である。ＤＰＦ２の装置本体４の前面には、観賞用画像や時刻等の情報を電気的に表示するＬＣＤ表示部６が設けられている。また、ＬＣＤ表示部６の下側には、音楽や音声が出力されるスピーカ８が設けられている。また、ＬＣＤ表示部６の右側には、ＤＰＦ２の設置環境のホワイトバランスを測定するカラーセンサ１０及び照度を測定する照度センサ１２が設けられている。また、装置本体４の上面には、ＤＰＦ２の電源のオン／オフを切り替える電源スイッチ１３及びＤＰＦ２の機能設定やＬＣＤ表示部６の表示設定の際に使用する操作キー１４が設けられている。また、装置本体４の一方の側面には、メモリカード４６が挿入されるメモリカードスロット１６（図２参照）及び無線ＬＡＮ４８を利用して情報の送受信を行う無線ＬＡＮモジュール部２０（図２参照）が設けられている。
【００１６】
カメラ３０の筐体３２の前面には、被写体光を入射させる撮影窓３４が設けられている。また、筐体３２の上面には、電源スイッチ３８、レリーズ指示を行うレリーズボタン４０が設けられている。また、カメラ３０の一方の側面には、メモリカードスロット４２（図３参照）及び無線ＬＡＮモジュール部４４（図３参照）が設けられている。
【００１７】
なお、ＤＰＦ２において、スピーカ８、カラーセンサ１０、照度センサ１２、電源スイッチ１３、操作キー１４、メモリカードスロット１６、無線ＬＡＮモジュール部２０が設置されている位置は、図１に示した位置に限定されるものではなく、図１に示した位置以外の位置に設置してもよい。
【００１８】
図２は、本発明の実施の形態に係るＤＰＦ２のシステム構成を示すブロック図である。ＤＰＦ２は、ＣＰＵ５０を備え、ＣＰＵ５０には、操作部５１、メモリカードスロット１６及び無線ＬＡＮモジュール部２０、カラーセンサ１０及び照度センサ１２が接続されている。また、ＬＣＤ表示部６に表示される画像や情報等の表示制御を行う表示制御部５４、スピーカ８から出力される音楽や音声の再生制御を行う再生制御部５６が接続されている。
【００１９】
また、ＬＣＤ表示部６の解像度、ＬＣＤ表示部６の色域（ＲＧＢポイント、ホワイトポイント）及びガンマ特性等の表示特性情報並びにカラーセンサ１０及び照度センサ１２の測定値に基づいて予め設定される環境特性情報（観察環境情報）が記憶される記憶部５２が接続されている。ここで、表示特性情報は、ＬＣＤ表示部６毎に特性値を計測し、この計測値が工場出荷時に記憶部５２に記憶され、環境特性情報は、後述する所定のタイミングで記憶部５２に記載される。また、メモリカード４６がメモリカードスロット１６に挿入されたこと、または無線ＬＡＮ４８を介しカメラ３０と接続されたことを検出する検出部５８、メモリカード４６に記憶されている画像データの中からＬＣＤ表示部６に表示可能な画像の画像データを検索する検索部６０、カメラ３０に対して特性情報を送信する送信制御部６２、カメラ３０から画像データを受信する画像データ受信制御部６４が接続されている。ここで、操作部５１には、電源スイッチ１３、操作キー１４等が含まれている。
【００２０】
図３は、本発明の実施の形態に係るカメラ３０のシステム構成を示すブロック図である。カメラ３０は、ＣＰＵ７０を備え、ＣＰＵ７０には、操作部７２、メモリカードスロット４２及び無線ＬＡＮモジュール部４４が接続されている。また、被写体を撮像するための撮像素子７６、撮像素子７６から出力された撮像信号を図示しないＡ／Ｄ変換部においてＡ／Ｄ変換することにより生成された画像データをメモリカード４６に記憶する画像データ記憶制御部７７が接続されている。またメモリカード４６がメモリカードスロット４２に挿入されたこと、または無線ＬＡＮ４８を介しＤＰＦ２と接続されたことを検出する検出部８０、撮像素子７６により撮像された画像データまたはメモリカード４６に記憶されている画像データに対して、表示特性情報及び環境特性情報の特性情報に基づいて解像度の変換、ホワイトバランス（ＷＢ）調整、コントラスト調整、ガンマ補正などの各種の画像処理を行う画像処理部８２が接続されている。また、表示特性情報及び環境特性情報を受信する受信制御部８４、受信制御部８４により受信された特性情報が記憶される記憶部８５、メモリカード４６に記憶されている画像データをＤＰＦ２に送信する画像データ送信制御部８６が接続されている。ここで、操作部７２には、電源スイッチ３８、レリーズボタン４０等が含まれている。
【００２１】
次に、図４に示すフローチャートを参照して、本発明の実施の形態に係る記憶媒体を用いた場合におけるＤＰＦ２の表示処理について説明する。ＣＰＵ５０は、メモリカードスロット１６にメモリカード４６が挿入されたことを検出すると（ステップＳ１０、Ｙｅｓ）、カラーセンサ１０及び照度センサ１２により、ＤＰＦ２の設置環境のホワイトバランス及び照度を測定し、それらの測定値に基づいて環境特性情報を決定する。ここで、決定された環境特性情報を、記憶部５２に記憶する。
【００２２】
そして、記憶部５２に予め記憶されている表示特性情報及び環境特性情報を特性情報として、メモリカード４６の中の特定のファイルに記憶する（ステップＳ１１）。また、メモリカード４６に記憶されている画像データの中から、ＬＣＤ表示部６において、記憶部５２に記憶されている表示特性情報及び環境特性情報に基づいて表示可能な画像データを検索する（ステップＳ１２）。即ち、特定の名称を有するフォルダを検索する。特定の名称を有するフォルダが存在する場合には（ステップＳ１３、Ｙｅｓ）、そのフォルダ内の画像データの画像をＬＣＤ表示部６にスライドショー表示する（ステップＳ１４）。そして、ＬＣＤ表示部６に表示する次の画像がない場合には、スライドショー表示を終了する（ステップＳ１５）。ここで、ステップ１３において、表示可能な画像データがない場合には（ステップＳ１３、Ｎｏ）、表示処理を終了する。
【００２３】
次に、図５に示すフローチャートを参照して、本発明の実施の形態に係る記憶媒体を用いた場合におけるカメラ３０の変換処理について説明する。ＣＰＵ７０は、メモリカードスロット４２にメモリカード４６が挿入されたことを検出すると（ステップＳ２０、Ｙｅｓ）、メモリカード４６に記憶されている情報の中から、特性情報が記憶された特定のファイルを検索する（ステップＳ２１）。特定のファイルがある場合には（ステップＳ２２、Ｙｅｓ）、特定のファイルを読み出し、特性情報を記憶部８５に記憶する（ステップＳ２３）。
【００２４】
次に、操作者により、レリーズボタン４０が押下されると（ステップＳ２４、Ｙｅｓ）、撮像素子７６により被写体の撮像を行う。そして、記憶部８５に特性情報が記憶されているか否かを判別する（ステップＳ２５）。特性情報が記憶されている場合には（ステップＳ２５、Ｙｅｓ）、画像処理部８２により、ステップＳ２４で撮像された撮像データに基づく画像データを、記憶部８５に記憶されている特性情報に基づいて変換する（ステップＳ２６）。即ち、撮像された画像の画像データに対し、表示特性情報に基づいて解像度の変換等の処理を行う。さらに、環境特性情報に基づいてガンマ補正、表示輝度調整を行う。そして、変換された画像データである処理済画像データを、画像データ記憶制御部７７を介してメモリカード４６に記憶する（ステップＳ２７）。ここで、ＤＰＦ２の特性情報に基づいて処理された画像は、メモリカード４６内の特定の名称を有するフォルダに記憶する。また、ステップＳ２４で撮像された撮像データに基づく画像データも、メモリカード４６に記憶する（ステップＳ２８）。一方、特性情報が記憶されていない場合には（ステップＳ２５、Ｎｏ）、ステップＳ２４で撮像された撮像データに基づく画像データのみをメモリカード４６に記憶する（ステップＳ２９）。
【００２５】
次に、図６に示すフローチャートを参照して、本発明の実施の形態に係る通信媒体を用いた場合における画像表示システムの送受信処理について説明する。ＤＰＦ２において、ＣＰＵ５０は、通信媒体である無線ＬＡＮ４８を介しカメラ３０と接続されたことが検出部５８により検出された場合には（ステップＳ３０、Ｙｅｓ）、カラーセンサ１０及び照度センサ１２により、ＤＰＦ２の設置環境のホワイトバランス及び照度を測定し、それらの測定値に基づいて環境特性情報を決定する。ここで、決定された環境特性情報を記憶部５２に記憶する。そして、記憶部５２に予め記憶されている表示特性情報及び環境特性情報を特性情報としてカメラ２に送信する（ステップＳ３１）。
【００２６】
一方、カメラ３０において、ＣＰＵ７０は、無線ＬＡＮ４８を介しＤＰＦ２と接続されたことが検出部８０により検出された場合には（ステップＳ４０、Ｙｅｓ）、ＤＰＦ２からの特性情報を受信制御部８４により受信し（ステップＳ４１）、受信した特性情報を記憶部８５に記憶する（ステップＳ４２）。ここで、操作者により、レリーズボタン４０が押下されると（ステップＳ４３、Ｙｅｓ）、撮像素子７６により被写体の撮像を行う。そして、記憶部８５に特性情報が記憶されているか否かを判別する（ステップＳ４４）。特性情報が記憶されている場合には（ステップＳ４４、Ｙｅｓ）、ステップＳ４３で撮像された撮像データに基づく画像データを、上述のステップＳ２６と同様に、画像処理部８２により記憶部８５に記憶されている特性情報に基づいて変換する（ステップＳ４５）。また、変換された画像データを、上述のステップＳ２７と同様に、画像データ記憶制御部７７を介してメモリカード４６に記憶する（ステップＳ４６）。また、ステップＳ４３で撮像された撮像データに基づく画像データも、メモリカード４６に記憶する（ステップＳ４７）。一方、特性情報が記憶されていない場合には（ステップＳ４４、Ｎｏ）、ステップＳ４３で撮像された撮像データに基づく画像データのみをメモリカード４６に記憶する（ステップＳ４８）。そして、画像データ送信制御部８６の制御により、メモリカード４６に記憶されている画像データを無線ＬＡＮモジュール部４４を介してＤＰＦ２に送信する（ステップＳ４９）。
【００２７】
また、ＤＰＦ２においては、画像データ受信制御部６４により無線ＬＡＮモジュール部２０を介して画像データを受信し（ステップＳ３２）、受信した画像データの中から、ＬＣＤ表示部６において表示特性情報及び環境特性情報に基づいて表示可能な画像データを検索する（ステップＳ３３）。即ち、特定の名称を有するフォルダを検索する。特定の名称を有するフォルダが存在する場合には（ステップＳ３４、Ｙｅｓ）、そのフォルダ内の画像データの画像をＬＣＤ表示部６にスライドショー表示する（ステップＳ３５）。また、ＬＣＤ表示部６に表示する次の画像がない場合には、スライドショー表示を終了する（ステップＳ３６）。ここで、ステップ３４において、表示可能な画像データがない場合には（ステップＳ３４、Ｎｏ）、表示処理を終了する。
【００２８】
本発明の実施の形態に係る画像表示システムによれば、ＤＰＦのＬＣＤ表示部に表示可能な画像データに変換する画像処理をカメラ側で行うため、ＬＣＤ表示部に画像データを表示させる際に、ＤＰＦが行う処理を低減することができる。従って、ＤＰＦでスライドショー表示する際に、滑らかな動きで画像を表示することができる。
【００２９】
なお、上述の実施の形態においては、ＤＰＦ２において検出部５８により、記憶媒体４６の挿入またはカメラ３０との接続が検出されたタイミングで、カラーセンサ１０及び照度センサ１２により測定が行われ、それら測定の測定値に基づいて環境特性情報を決定されているが、任意または所定のタイミング、例えばユーザが指定したタイミング、または一定時間間隔等でカラーセンサ１０及び照度センサ１２による測定を行い、測定された測定値に基づいて環境特性情報を決定してもよい。また、所定の期間中に測定されたカラーセンサ１０及び照度センサ１２の測定値の平均値に基づいて環境特性情報を決定してもよい。
【００３０】
また、上述の実施の形態においては、表示特性情報として、ＬＣＤ表示部６の解像度、ＬＣＤ表示部６の色域（ＲＧＢポイント、ホワイトポイント）及びガンマ特性が記憶部５２に記憶されているが、これらの中の特定の情報を記憶するようにしてもよい。
【００３１】
また、上述の実施の形態においては、カラーセンサ１０及び照度センサ１２の測定値を用いて、環境特性情報を決定しているが、カラーセンサ１０のみを用い、カラーセンサ１０の測定値に基づいて環境特性情報を決定してもよい。または、照度センサ１２のみを用い、照度センサ１２の測定値に基づいて環境特性情報を決定してもよい。
【００３２】
また、上述の実施の形態において、カラーセンサ１０及び照度センサ１２をＤＰＦ２の装置本体４に着脱自在に設け、ＤＰＦ２が工場から出荷され所定時間が経過した場合等に、操作者がカラーセンサ１０及び照度センサ１２を取外し、ＬＣＤ表示部６の表示特性情報の測定を行い、その測定値に基づいて表示特性値を決定し、記憶部５２に記憶されている表示特性情報を更新できるようにしてもよい。
【００３３】
また、上述の実施の形態において、ＤＰＦ２とカメラ３０とのインターフェイスとして、無線の通信媒体のＷｉｒｅｌｅｓｓ  ＵＳＢ、Ｂｌｕｅｔｏｏｔｈまたは赤外線通信等を用いてもよい。
【００３４】
また、上述の実施の形態においては、ＤＰＦ２とカメラ３０とのインターフェイスとして、無線の通信媒体を用いているが、有線の通信媒体を用いてもよい。即ち、ＤＰＦ２及びカメラ３０にネットワーク端子を設け、両者をＥｔｈｅｒｎｅｔ（登録商標）またはＵＳＢケーブル等を用いて接続する。また、インターネットを介して通信するようにしてもよい。
【００３５】
また、上述の実施の形態において、ＤＰＦとカメラとの間でデータを送受信する際、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）上のＳＭＢ、ＣＩＦＳ、ＮＦＳ、ＡＦＰ、ＷｅｂＤＡＶやＵＳＢ上のＭａｓｓＳｔｒａｇｅＣｌａｓｓを使用してもよい。また、変換された画像データを、ＰＴＰ（Ｐｉｃｔｕｒｅ  Ｔｒａｎｓｆｅｒ  Ｐｒｏｔｏｃｏｌ）を用いて、ＤＰＦ２へ送信してもよい。
【００３６】
また、上述の実施の形態において、ステップＳ２６（ステップＳ４５）で変換された画像データを、特定のファイル名または特定のメタ情報を伴ってメモリカード４６に記憶してもよい。この場合には、ステップＳ１２（ステップＳ３３）の処理により、ＬＣＤ表示部６に表示可能な画像データを検索する場合に、特定のファイル名または特定のメタ情報に基づいて検索する。
【００３７】
また、上述の実施の形態においては、ＤＰＦ２の画像データ受信制御部６４によりカメラ３０からの画像データを受信し、受信した画像データの中から、特定の名称を有するフォルダを検索しているが、カメラ３０の記憶媒体４６に記憶されている画像データの中から、特定の名称を有するフォルダを検索してもよい。そして、特定の名称を有するフォルダが存在する場合には、特定の名称を有するフォルダ内の画像データの画像をＬＣＤ表示部６に表示する。
【００３８】
また、上述の実施の形態において、ＤＰＦが複数の場合には、各ＤＰＦはカメラ３０に対して、記憶部５２に記憶されている特性情報と共に自身のモデル名やシリアルＮｏ等の識別情報を送信するようにしてもよい。この場合には、カメラ３０は、複数の特性情報及び識別情報を受信すると、記憶部８５に受信した特性情報を識別情報と共に記憶する。また、撮像データに基づく画像データを、複数の特性情報ごとにステップＳ４５の処理と同様の処理により変換する。そして複数のＤＰＦの識別情報のそれぞれに対応させて、変換された画像データをメモリカード４６に記憶する。即ち、複数のＤＰＦの識別情報に対応するフォルダ、接頭語または接尾語を付加したファイル名またはメタ情報を伴って記憶する。そして、カメラ２は、メモリカード４６に記憶されている画像データを各ＤＰＦに送信する。各ＤＰＦはカメラ３０から受信した画像データの中から、自身の識別情報に対応するフォルダ、ファイル名、またはメタ情報に基づいて表示可能な画像データを検索する。表示可能な画像データがある場合にはＬＣＤ表示部６に表示する。
【００３９】
また、上述の実施の形態において、ＤＰＦが複数の場合に各ＤＰＦは、記憶部５２に記憶されている特性情報と共に自身のモデル名やシリアルＮｏ等の識別情報を、メモリカード４６の中の特定のファイルに記憶するようにしてもよい。この場合には、カメラ３０は、メモリカード４６に記憶されている特定のファイルを読み出し、記憶部８５に特性情報を識別情報と共に記憶する。また、撮像データに基づく画像データを、複数の特性情報ごとにステップＳ４５の処理と同様の処理により変換される。そして複数のＤＰＦの識別情報のそれぞれに対応させて、変換された画像データをメモリカード４６に記憶する。即ち、複数のＤＰＦの識別情報に対応するフォルダ、接頭語または接尾語を付加したファイル名またはメタ情報を伴って画像データを記憶する。各ＤＰＦは、メモリカード４６に記憶されている画像データの中から、自身の識別情報に対応するフォルダ、ファイル名、またはメタ情報に基づいて表示可能な画像データを検索する。表示可能な画像データがある場合には、画像データの画像をＬＣＤ表示部６に表示する。
【００４０】
次に、本発明の他の実施の形態に係る画像表示システムを構成するＤＰＦ及びカメラについて説明する。なお、上述の実施の形態と同じ部分については、説明を省略する。上述の実施の形態においては、ＤＰＦ２に設けられたカラーセンサ１０及び照度センサ１２の測定値を用いて、環境特性情報（観察環境情報）を生成しているが、カメラ３０をＤＰＦ２の近くに配置して、カメラ３０とＤＰＦ２との間の通信が確立しているときなどに、カメラ３０の撮像素子７６（撮像部）または、カメラ３０に設けたセンサ（測光センサまたは、カラーセンサ）（不図示）によって、ＤＰＦ２が設置されている場所の観察環境を測定し、その測定値に基づいて観察環境情報を生成してもよい。この場合には、カメラ３０の撮像部または、カメラ３０に設けたセンサを用いて環境特性情報（観察環境情報）を生成するため、ＤＰＦ２にカラーセンサ１０及び照度センサ１２を設ける必要が無い。
【符号の説明】
【００４１】
２…ＤＰＦ、６…ＬＣＤ表示部、１０…カラーセンサ、１２…照度センサ、３０…カメラ、４６…メモリカード、４８…無線ＬＡＮ、７６…撮像素子。
【図１】
0005504913.tif 000002
【図２】
0005504913.tif 000003
【図３】
0005504913.tif 000004
【図４】
0005504913.tif 000005
【図５】
0005504913.tif 000006
【図６】
0005504913.tif 000007